(57)【要約】【課題】  電源コードと電気機器との接続状態を正常に維持することの可能な電源コード用安全具、及び、この電源コード用安全具を備えた電気機器を提供する。【解決手段】  電源コード用安全具２０の基端部２２を画像形成装置１０に固定し、電源コード４０のコード部４２を中間部２４Ｂに１回巻き掛ける。コード部４２は、第１柱部２４Ａと第２柱部２４Ｃとの間で挟持させる。電源コード４０へ、電源コード用安全具２０よりもアウトレット側プラグ４６側から、インレット側プラグ４４から離れる方向の力が加えられると、コード部４２が巻き締められ、中間部２４Ｂに力が吸収される。そのため、加えられた力はインレット側プラグ４４へ直接は伝達されず、インレット側プラグ４４への負荷を軽減することができる。【選択図】        図１
2005032677.tif 000002
【特許請求の範囲】
【請求項１】
一端に電気機器本体へ接続される接続部材を備え他端にコンセントへ差し込まれる差し込みプラグを備えた電源コード、に適用される電源コード用安全具であって、
電気機器本体に固定され、前記電源コードの接続部材と差し込みプラグとの間に配置されると共にこの配置位置よりも前記差し込みプラグ側から前記電源コードへ前記接続部材と離れる方向の力が加えられたときに、前記接続部材へ伝達される力を軽減可能な力軽減手段を備えた電源コード用安全具。
【請求項２】
前記力軽減手段は、前記電源コードを挟持可能な挟持部材を含むことを特徴とする請求項１に記載の電源コード用安全具。
【請求項３】
前記挟持部材に挟持された電源コードの挟持が解除されるのを防止する挟持解除防止部材をさらに備えたことを特徴とする請求項２に記載の電源コード用安全具。
【請求項４】
前記力軽減手段は、前記電源コードを巻き掛け可能なコード巻掛部材を含むことを特徴とする請求項１乃至請求項３のいずれか１項に記載の電源コード用安全具。
【請求項５】
前記コード巻掛部材に巻き掛けられた電源コードがこのコード巻掛部材から外れるのを防止する外れ防止部材をさらに備えたことを特徴とする請求項４に記載の電源コード用安全具。
【請求項６】
電気機器の筐体と一体的に形成されたことを特徴とする請求項１乃至請求項５のいずれか１項に記載の電源コード用安全具。
【請求項７】
一端に電気機器本体へ接続される接続部材を備え他端にコンセントへ差し込まれる差し込みプラグを備えた電源コードに適用される電源コード用安全具であって、
電気機器本体に固定される固定部と、
前記電気機器本体へ接続された状態の前記接続部材よりもこの接続部材の接続方向外側に突出されている突出部と、
を備えた電源コード用安全具。
【請求項８】
前記電源コードの接続部材と差し込みプラグとの間に配置されると共にこの配置位置よりも前記差し込みプラグ側から前記電源コードへ前記接続部材と離れる方向の力が加えられたときに、前記接続部材へ伝達される力を軽減可能な力軽減手段を備えた請求項７に記載の電源コード用安全具。
【請求項９】
前記力軽減手段は、前記電源コードを挟持可能な挟持部材を含むことを特徴とする請求項８に記載の電源コード用安全具。
【請求項１０】
前記挟持部材に挟持された電源コードの挟持が解除されるのを防止する挟持解除防止部材をさらに備えたことを特徴とする請求項９に記載の電源コード用安全具。
【請求項１１】
前記力軽減手段は、前記電源コードを巻き掛け可能なコード巻掛部材を含むことを特徴とする請求項８乃至請求項１０のいずれか１項に記載の電源コード用安全具。
【請求項１２】
前記コード巻掛部材に巻き掛けられた電源コードがこのコード巻掛部材から外れるのを防止する外れ防止部材をさらに備えたことを特徴とする請求項１１に記載の電源コード用安全具。
【請求項１３】
電気機器の筐体と一体的に形成されたことを特徴とする請求項７乃至請求項１２のいずれか１項に記載の電源コード用安全具。
【請求項１４】
請求項１乃至請求項１３のいずれか１項に記載の電源コード用安全具を備えた電気機器。
【請求項１５】
電源コードが接続される接続部と前記電源コード用安全具との距離が２００ｍｍ以内であることを特徴とする請求項１４に記載の電気機器。
【発明の詳細な説明】
【技術分野】
【０００１】
本発明は、電源コード用安全具、及び電気機器に係り、特に、電気機器と電源コードとの正常な接続状態を維持可能な電源コード用安全具、及び電気機器に関する。
【背景技術】
【０００２】
コンセントから電気機器へ電力を供給する場合には、電源コードによって両者が接続される。通常、電源コードと電気機器とは、電源コードの電気機器本体への直付け、または、電気機器本体に形成されたインレットへ電源コードに備えられたプラグを差し込むことにより接続される。
【０００３】
電源コードのプラグが電気機器のインレットから半抜けになっていたり、電源コードが引っ張られ又は壁に押し付けられて断線したりすると、電源コードと電気機器との接続状態が正常に維持されず、電気機器が正しく作動しない等の不都合が生じる。しかしながら、電源コードと電気機器との接続状態を正常に維持するための器具はなかった。
【発明の開示】
【発明が解決しようとする課題】
【０００４】
本発明は上記事実を考慮してなされたものであり、電源コードと電気機器との接続状態を正常に維持することの可能な電源コード用安全具、及び、この電源コード用安全具を備えた電気機器を提供することを目的とする。
【課題を解決するための手段】
【０００５】
上記課題を解決するために、第１の態様の電源コード用安全具は、一端に電気機器本体へ接続される接続部材を備え、他端にコンセントへ差し込まれる差し込みプラグを備えた電源コードに適用される電源コード用安全具であって、電気機器本体に固定され、前記電源コードの接続部材と差し込みプラグとの間に配置されると共にこの配置位置よりも前記差し込みプラグ側から前記電源コードへ前記接続部材と離れる方向の力が加えられたときに、前記接続部材へ伝達される力を軽減可能な力軽減手段を含んで構成されている。
【０００６】
上記態様の電源コード用安全具は、一端に電気機器本体へ接続される接続部材を備え、他端にコンセントへ差し込まれる差し込みプラグを備えた電源コードに適用されるものである。ここでの接続部材には、電源コードを電気機器本体に直付けする場合のジョイント部分をカバーする部材や、電気機器本体のインレットへ差し込み可能なプラグなどが該当する。
【０００７】
本態様の電源コード用安全具は、電気機器本体に固定され、電源コードの接続部材と差し込みプラグとの間に配置されると共にこの配置位置よりも差し込みプラグ側から前記電源コードへ前記接続部材と離れる方向の力が加えられたときに、力軽減手段によって接続部材へ伝達される力が軽減される。すなわり、電源コードに対し、電源コード用安全具よりも差し込みプラグ側に前記接続部材と離れる方向の力が加えられた場合でも、この力が力軽減手段によって軽減されて接続部材へ伝達される。したがって、接続部材への負荷が軽減され、電源コードが引っ張られて半抜けになったり断線したりするのを防止することができ、電気機器と電源コードとの正常な接続状態を維持することができる。
【０００８】
第２の態様の電源コード用安全具は、一端に電気機器本体へ接続される接続部材を備え、他端にコンセントへ差し込まれる差し込みプラグを備えた電源コードに適用される電源コード用安全具であって、電気機器本体に固定される固定部と、前記電気機器本体へ接続された状態の前記接続部材よりもこの接続部材の接続方向外側に突出されている突出部と、を備えている。
【０００９】
本態様の電源コード用安全具も、第１の態様と同様に、一端に電気機器本体へ接続される接続部材を備え、他端にコンセントへ差し込まれる差し込みプラグを備えた電源コードに適用されるものである。
【００１０】
本態様の電源コード用安全具では、電気機器本体に接続部材が接続されている状態において、突出部が接続部材の接続方向外側に突出されているので、壁面、その他の外部の物体が電気機器本体に接近しても、これらの物体は接続部材ではなく突出部に当接される。したがって、接続部材が壁面等の外部物体に当接されるのを防止することができ、接続部材が電気機器本体と外部物体との間に挟まれて断線したりするのを防止することができる。その結果、電源コードと電気機器との接続状態を正常に維持することができる。
【００１１】
第３の態様の電気機器は、請求項１乃至請求項１３のいずれか１項に記載の電源コード用安全具を備えたものである。
【００１２】
本態様の電気機器によれば、請求項１乃至請求項１３のいずれか１項の電源コード用安全具を備えることにより、前述のような各々の電源コード用安全具が有する効果を発揮することができる。
【発明の効果】
【００１３】
第１の態様の電源コード用安全具によれば、電源コードに対し、電源コード用安全具よりも差し込みプラグ側に前記接続部材と離れる方向の力が加えられた場合でも、この力が力軽減手段によって軽減されて接続部材へ伝達されるので、接続部材への負荷が軽減され、電源コードが引っ張られて半抜けになったり断線したりするのを防止することができ、電気機器と電源コードとの正常な接続状態を維持することができる。
【００１４】
また、第２の態様の電源コード用安全具によれば、突出部が壁面等に当接されるので、接続部材が壁面等に当接されるのを防止することができ、接続部材が電気機器本体と壁面等との間に挟まれて断線したりするのを防止することができる。その結果、電源コードと電気機器との接続状態を正常に維持することができる。
【００１５】
また、第３の態様の電気機器によれば、請求項１乃至請求項１３のいずれか１項の電源コード用安全具を備えることにより、前述のような各々の電源コード用安全具が有する効果を発揮することができる。
【発明を実施するための最良の形態】
【００１６】
以下、図面を参照しながら、本発明の電源コード用安全具、及びこの電源コード用安全具を備えた電気機器について説明する。本実施形態では電気機器として画像形成装置１０を一例に説明するが、本発明の電気機器は画像形成装置に限定されるものではなく、その他の電気機器、例えば、冷蔵庫、パーソナルコンピュータ、にも適用可能である。
【００１７】
本実施形態の電源コード用安全具２０は、図１に示すように、電源コード４０に適用されるものである。電源コード４０は、コンセントと画像形成装置１０とを接続して画像形成装置１０へ電力を供給するものであり、コード部４２、インレット側プラグ４４、及び、アウトレット側プラグ４６を備える。インレット側プラグ４４は、画像形成装置１０の後述するインレット１４に接続される。アウトレット側プラグ４６は、図示しないコンセントに接続される。
【００１８】
図２にも示すように、電源コード用安全具２０は基端部２２を備え、基端部２２は画像形成装置１０の筐体１２に接着されることにより、画像形成装置１０に固定されている。基端部２２には、コード巻掛部材２４、及び、側柱２６が突設されている。
【００１９】
コード巻掛部材２４は略Ｈ形状とされ、基端部２２側から順に、Ｈ形状の一方の柱を構成する第１柱部２４Ａ、Ｈ形状の中間部分を構成する中間部２４Ｂ、及びＨ形状の他方の柱を構成する第２柱部２４Ｃで構成されている。第１柱部２４Ａは棒状とされ、基端部２２と一体的に構成されて基端部２２から筐体１２の法線方向へ突出されている。中間部２４Ｂは、第１柱部２４Ａと直交する方向に配置され、第１柱部２４Ａの中央部分と接続されている。中間部２４Ｂには、電源コード４０の巻き掛けが可能とされている。第２柱部２４Ｃは、棒状とされて第１柱部２４Ａと平行に配置され、その中央部分が中間部２４Ｂと接続されている。第２柱部２４Ｃの基端部２２側には、角部２５が形成されている。
【００２０】
側柱２６は、棒状とされ、基端部２２から筐体１２の法線方向へ突出されている。側柱２６はコード巻掛部材２４の第２柱部２４Ｃ側に配置されている。側柱２６の第２柱部２４Ｃと対向する側の中央部には、凸部２６Ａが形成されている。
【００２１】
コード巻掛部材２４の第２柱部２４Ｃと、側柱２６、基端部２２、及び第１柱部２４Ａとの間には、コード部４２が通過可能なコード用通路２８が形成されている。図２に示すように、側柱２６とコード巻掛部材２４とで形成されるコード用通路２８の隙間Ｄ１は電源コード４０のコード部４２の径Ｄ０よりも広くなっている。一方、側柱２６と基端部２２とで形成されるコード用通路２８の隙間Ｄ２、及び、第２柱部２４Ｃと第１柱部２４Ａとで形成されるコード用通路２８の隙間Ｄ３はコード部４２の径Ｄ０よりも狭くなっており、第２柱部２４Ｃと基端部２２、または、第２柱部２４Ｃと第１柱部２４Ａとで、電源コード４０を挟持可能とされている。
【００２２】
第２柱部２４Ｃの角部２５は、コード用通路２８へ突出されており、角部２５によりコード用通路２８の隙間の一部が狭められている。側柱２６の凸部２６Ａも、コード用通路２８へ突出されており、凸部２６Ａによりコード用通路２８の隙間の一部が狭められている。
【００２３】
画像形成装置１０は、電源を入力するためのインレット１４を備える。インレット１４には、電源コード４０のインレット側プラグ４４とを差し込み可能とされている。インレット１４と電源コード用安全具２０との距離は、近接されているのが好ましく、２００ｍｍ以内であることが好ましい。これは、インレット１４と電源コード用安全具２０の距離が短い方がインレット側プラグ４４から電源コード用安全具２０に巻き掛けられるまでの間のコード部４２の長さをが短くすることができ、コード部４２に人や物が引っかかってインレット側プラグ４４に直接力が掛かるのを防止することができるからである。
【００２４】
図３に示すように、電源コード用安全具２０の第１柱部２４Ａ、第２柱部２４Ｃ、及び側柱２６の先端部は、インレット側プラグ４４の接続方向からみて、インレット側プラグ４４よりも外側に突出された突出部を形成している。すなわち、電源コード用安全具２０の接続方向の長さＬは、インレット１４に差し込まれた状態のインレット側プラグ４４の水平方向の長さＫよりも長い。これにより、画像形成装置１０が不用意に壁面５０側へ移動されても、電源コード用安全具２０が壁面５０に当接され、インレット側プラグ４４は壁面５０に当接されない。したがって、インレット側プラグ４４が画像形成装置１０と壁面５０との間に挟まれて断線したりするのを防止することができる。
【００２５】
上記の電源コード用安全具２０を電源コード４０に適用する場合には、図１及び図３に示すように、電源コード４０のコード部４２を中間部２４Ｂに１回巻き掛ける。このとき、コード部４２は、インレット側プラグ４４から自然に電源コード用安全具２０へと垂れ下がるようにして中間部２４Ｂに巻き掛けるのが好ましい。インレット側プラグ４４から電源コード用安全具２０に至るまでのコード部４２に大きな弛みが生じていると、人や物がコード部４２に引っかかりやすくなり、過度の引っ張り力が生じていると断線が起こりやすくなるからである。コード部４２は、電源コード用安全具２０の第１柱部２４Ａと第２柱部２４Ｃとの間で挟持される。
【００２６】
上記のように電源コード用安全具２０が適用された電源コード４０へ、電源コード用安全具２０よりもアウトレット側プラグ４６側から、インレット側プラグ４４から離れる方向の力が加えられると、コード部４２が巻き締められ、中間部２４Ｂに力が吸収される。したがって、加えられた力はインレット側プラグ４４へ直接は伝達されず、インレット側プラグ４４への負荷を軽減することができ、インレット側プラグ４４が半抜けになったり、無理な加重による断線が起きたりするのを防止することができる。
【００２７】
また、電源コード用安全具２０の第２柱部２４Ｃには、角部２５が形成されているので、コード部４２がコード用通路２８の角部２５によって狭められている部分を通過しにくくなっており、コード部４２が中間部２４Ｂから外れるのが防止される。また、コード部４２がコード用通路２８の角部２５によって狭められている部分を通過しても、側柱２６には凸部２６Ａが形成されているので、コード部４２のコード用通路２８の外側への移動が防止される。
【００２８】
なお、本実施形態では、電源コード４０のコード部４２を中間部２４Ｂに１回巻き掛けた例について説明したが、コード部４２は必ずしも中間部２４Ｂに巻き掛ける必要はなく、図４に示すように、第１柱部２４Ａと第２柱部２４Ｃとの間に挿通させるだけでもよい。このようにした場合でも、第１柱部２４Ａと第２柱部２４Ｃとの間でコード部４２が挟持されているので、前述と同様の力をコード部４２に加えた場合に、第１柱部２４Ａ及び第２柱部２４Ｃとコード部４２との間の摩擦により、加えられた力が第１柱部２４Ａ及び第２柱部２４Ｃに吸収される。したがって、加えられた力はインレット側プラグ４４へ直接は伝達されず、インレット側プラグ４４への負荷を軽減することができる。
【００２９】
また、本実施形態では、電源コード用安全具２０を筐体１２に接着することにより画像形成装置１０に電源コード用安全具２０を固定したが、電源コード用安全具２０の画像形成装置１０への固定方法は他の方法でもよい。例えば、筐体１２と電源コード用安全具２０とを係合させてもよいし、電源コード用安全具２０を筐体と一体形成してもよい。係合させる場合には、例えば、図５に示すように、電源コード用安全具２０の基端部２２に差し込み板２３を突設すると共に、画像形成装置１０に差し込み孔１５が形成された受部１６を設ける。差し込み孔１５には差し込み板２３を差し込み可能とする。そして、差し込み孔１５へ差し込み板２３を差し込んだ後、受部１６を回転させることにより、差し込み板２３をロックする機構を設ける。この構成によれば、電源コード用安全具２０を画像形成装置１０へ固定することができると共に、ロックを解除することにより画像形成装置１０から取外すこともできる。
【００３０】
また、本実施形態の側柱２６は、必ずしも必要ではなく、図６に示す電源コード用安全具６０のように、側柱２６を除外した構成することもできる。さらに、基端部２２についても必ずしも必要ではなく、図７に示す電源コード安全具６１のように、コード巻掛部材２４を直接画像形成装置１０に固定してもよい。
【００３１】
また、本実施形態では、コード巻掛部材２４を略Ｈ形状としたが、コード巻掛部材２４はこの形状に限定されるものではない。例えば、図８に示す電源コード用安全具６２のように、コード巻掛部材６４を渦巻き状にしてもよい。さらには、図９に示す電源コード用安全具６６のように、コード巻掛部材６８を略コの字状にして、コード巻掛部材６８を直接画像形成装置１０へ固定してもよい。
【００３２】
また、本実施形態では、コード部４２が通過可能なコード用通路２８が形成されていたが、図１０に示す電源コード用安全具７０のように、コード用通路２８に代えて、コード部４２を挿通可能なコード用穴２９を構成したものであってもよい。この構成であれば、コード部４２がコード用穴２９から外れることがない。但し、この場合には、インレット側プラグ４４、アウトレット側プラグ４６がコード用穴２９を通過することは困難であるので、電源コード用安全具７０に予め電源コード４０を巻き付けておく必要がある。
【図面の簡単な説明】
【００３３】
【図１】本実施形態の電源コード用安全具を電源コードに適用した状態を示す斜視図である。
【図２】本実施形態の電源コード用安全具の上面図である。
【図３】本実施形態の電源コード用安全具の使用状態を示す側面図である。
【図４】本実施形態の電源コード用安全具の電源コードへの他の適用例を示す斜視図である。
【図５】本実施形態の電源コード用安全具の画像形成装置への取り付けの変形例を示す斜視図である。
【図６】本実施形態の電源コード用安全具の変形例を示す斜視図である。
【図７】本実施形態の電源コード用安全具の他の変形例を示す斜視図である。
【図８】本実施形態の電源コード用安全具の他の変形例を示す斜視図である。
【図９】本実施形態の電源コード用安全具の他の変形例を示す斜視図である。
【図１０】本実施形態の電源コード用安全具の他の変形例を示す斜視図である。
【符号の説明】
【００３４】
１０    画像形成装置
１４    インレット
２０    電源コード用安全具
２４Ａ  第１柱部（挟持部材、突出部）
２４Ｃ  端部（挟持部材、突出部）
２４Ｂ  中間部（コード巻掛部材）
２４    コード巻掛部材
２５    角部（挟持解除防止部材、外れ防止部材）
２６    側柱（突出部）
２６Ａ  凸部（外れ防止部材）
４０    電源コード
４２    コード部
４４    インレット側プラグ（接続部材）
４６    アウトレット側プラグ（差し込みプラグ）
６０    電源コード用安全具
６１    電源コード安全具
６２    電源コード用安全具
６６    電源コード用安全具
７０    電源コード用安全具
【図１】
2005032677.tif 000003
【図２】
2005032677.tif 000004
【図３】
2005032677.tif 000005
【図４】
2005032677.tif 000006
【図５】
2005032677.tif 000007
【図６】
2005032677.tif 000008
【図７】
2005032677.tif 000009
【図８】
2005032677.tif 000010
【図９】
2005032677.tif 000011
【図１０】
2005032677.tif 000012